(57)【特許請求の範囲】
【請求項１】
固定しようとする第１部材と、該第１部材の固定対象である第２部材との間に設けられ、前記第１部材を前記第２部材に対して相対的に縦方向にスライドさせることにより、ロック状態を達成して、前記第１部材を第２部材に固定するスライド式のロック機構において、
前記第２部材に縦向きに突設された帯板状のブラケットと、
前記第１部材の壁面に設けられ、前記ブラケットを前記壁面に沿って相対的に縦方向にスライドさせるためのスライド空間を形成するスライド枠と、
前記第１部材の壁面に設けられ、前記ブラケットの厚み方向に可撓性を有し、前記ブラケットが前記スライド枠に沿って縦方向に相対的にスライドしてきたとき、前記ブラケットの係合凹部に係合して、前記ブラケットに対する第１部材の縦方向の動きをロックする係合凸部を有するロック片と、
前記ブラケットの前記第１部材の壁面側の板面に設けられ、前記ブラケットを、前記係合凹部と係合凸部とが正対する位置にて係合したロック位置から横方向に移動させた際に、前記係合凸部を受容すると共にその状態で該係合凸部の縦方向の相対的な移動を許容し、前記ブラケットの先端からの前記係合凸部の抜き取りを可能にする縦溝と、
前記係合凹部と係合凸部が正対する位置に向けて、前記ブラケットと前記第１部材とを付勢する付勢手段と、
を具備することを特徴とするロック機構。
【請求項２】
請求項１に記載のロック機構であって、
前記付勢部材として、前記スライド枠の内側壁に、先端が前記ブラケットの側縁に押圧接触するアーム形状のバネ片が設けられていることを特徴とするロック機構。
【請求項３】
請求項２に記載のロック機構であって、
前記縦溝が、前記係合凸部と係合する前記係合凹部の横方向の両側に形成されており、前記アーム状のバネ片が、前記スライド枠の内側壁にそれぞれ設けられていることを特徴とするロック機構。
【請求項４】
請求項２または３に記載のロック機構であって、
前記バネ片は、前記スライド枠に対する前記ブラケットの差し込み方向の手前側の位置で基端が前記スライド枠の内側壁に固定され、先端側が前記ブラケットの差し込み方向の奥側に斜めに延出するものであることを特徴とするロック機構。
【発明の詳細な説明】
【技術分野】
【０００１】
本発明は、例えば、車載用の電気接続箱の背面と車体パネルとの間に設けられて、電気接続箱を車体パネルに固定するためのロック機構に関するものである。
【背景技術】
【０００２】
図９は、特許文献１に記載されたこの種のロック機構の従来例を示す。このロック機構は、電気接続箱１００と車体パネルとの間に設けられたもので、電気接続箱１００の背面側の側壁に設けられた係止爪１２０及びスルーブラケット１２２と、車体パネルに上向きに突設された板状ブラケット１５０とからなる。
【０００３】
板状ブラケット１５０には、係止爪１２０と係合する係合孔１５２が設けられている。スルーブラケット１２２には、板状ブラケット１５０を嵌合するための嵌合溝がそれぞれ形成されており、係止爪１２０は、基端が電気接続箱１００の側壁に固定され、自由端が可撓性を有する形態で、スルーブラケット１２２の嵌合溝間に配置されている。
【０００４】
このロック機構を用いて電気接続箱１００を車体パネルに固定する場合は、板状ブラケット１５０にスルーブラケット１２２の嵌合溝の開口端を挿入し、板状ブラケット１５０の両側縁を各嵌合溝に保持させながら、スルーブラケット１２２を板状ブラケット１５０に対して図中下向きにスライドさせる。板状ブラケット１５０の端部が嵌合溝の溝端に当接するまで電気接続箱１００をスライドさせると、係止爪１２０が板状ブラケット１５０の係合孔１５２と係合し、それにより、電気接続箱１が車体パネル側の板状ブラケット１５０に上方へ抜けないように固定される。
【０００５】
一方、このロックを解除する必要が生じた場合は、電気接続箱１００の背面にドライバー等の治具の先端を差し込み、治具の先端で係止爪１２０を解除方向に変形させ、その状態で、電気接続箱１００を上にスライドさせる。そうすると、電気接続箱１００をブラケット１５０から離脱させることができる。
【特許文献１】特開２０００−１８４５５５号公報
【発明の開示】
【発明が解決しようとする課題】
【０００６】
ところで、近年、車両のリサイクルの要請等などから、車両解体時に電気接続箱を容易に車体から取り外せるようにすることが望まれている。しかしながら、上記従来のロック機構は、いったんロックしてしまうと、係止爪１２０が電気接続箱１００の背後に隠れてしまうので、非常にロックを外しにくく、容易に電気接続箱等を車体から取り外せないという問題があった。
【０００７】
本発明は、上記事情を考慮し、車両解体時などの必要時に、簡単にロックを外すことのできるロック機構を提供することを目的とする。
【課題を解決するための手段】
【０００８】
請求項１の発明のロック機構は、固定しようとする第１部材と、該第１部材の固定対象である第２部材との間に設けられ、前記第１部材を前記第２部材に対して相対的に縦方向にスライドさせることにより、ロック状態を達成して、前記第１部材を第２部材に固定するスライド式のロック機構において、前記第２部材に縦向きに突設された帯板状のブラケットと、前記第１部材の壁面に設けられ、前記ブラケットを前記壁面に沿って相対的に縦方向にスライドさせるためのスライド空間を形成するスライド枠と、前記第１部材の壁面に設けられ、前記ブラケットの厚み方向に可撓性を有し、前記ブラケットが前記スライド枠に沿って縦方向に相対的にスライドしてきたとき、前記ブラケットの係合凹部に係合して、前記ブラケットに対する第１部材の縦方向の動きをロックする係合凸部を有するロック片と、前記ブラケットの前記第１部材の壁面側の板面に設けられ、前記ブラケットを、前記係合凹部と係合凸部とが正対する位置にて係合したロック位置から横方向に移動させた際に、前記係合凸部を受容すると共にその状態で該係合凸部の縦方向の相対的な移動を許容し、前記ブラケットの先端からの前記係合凸部の抜き取りを可能にする縦溝と、前記係合凹部と係合凸部が正対する位置に向けて、前記ブラケットと前記第１部材とを付勢する付勢手段と、を具備することを特徴とする。
【０００９】
請求項２の発明は、請求項１に記載のロック機構であって、前記付勢部材として、前記スライド枠の内側壁に、先端が前記ブラケットの側縁に押圧接触するアーム形状のバネ片が設けられていることを特徴とする。
【００１０】
請求項３の発明は、請求項２に記載のロック機構であって、前記縦溝が、前記係合凸部と係合する前記係合凹部の横方向の両側に形成されており、前記アーム状のバネ片が、前記スライド枠の内側壁にそれぞれ設けられていることを特徴とする。
【００１１】
請求項４の発明は、請求項２または３に記載のロック機構であって、前記バネ片は、前記スライド枠に対する前記ブラケットの差し込み方向の手前側の位置で基端が前記スライド枠の内側壁に固定され、先端側が前記ブラケットの差し込み方向の奥側に斜めに延出するものであることを特徴とする。
【発明の効果】
【００１２】
請求項１の発明によれば、従来例と同様に、ブラケットの先端がスライド枠の入口から入るように差し込み、スライド枠をブラケットに縦方向に相対的にスライドさせることにより、ロック片をブラケットの厚み方向に撓ませながら、撓みから復帰したロック片の係合凸部を、ブラケットの係合凹部に係合させることができ、それにより、第１部材を第２部材のブラケットに固定することができる。
【００１３】
この際、ブラケット側の係合凹部とロック片の係合凸部は、付勢部材の働きで正対する位置に保持されているので、正対した状態で互いに強く係合し、横にずれたりすることがない。従って、通常の高い保持力を確保することができる。
【００１４】
また、付勢手段の付勢力によって、ブラケットに対しスライド枠を正しい位置に保持するので、ブラケットとスライド枠及びロック片とのガタ付きを無くすことができる。また、ブラケットの幅に対してスライド空間の幅に余裕を持たせることができるので、ブラケットとスライド枠の寸法のバラツキを吸収することができ、スムーズにブラケットとスライド枠を嵌合させることができる。
【００１５】
一方、この状態からロックを解除する場合は、ブラケットに対しスライド枠を横方向に移動させる。そうすると、ロック片の係合凸部が、ブラケットの縦溝の中に入る。従って、あとは、係合凸部を、縦溝に沿って移動しながらブラケットから抜くことにより、ロックを外すことができる。このように、ロック片を治具等を用いて解除操作することなく、第１部材を横方向と縦方向に順番に移動するだけて、ロックを解除することができるので、必要時に第１部材を第２部材から容易に取り外すことができ解体性に優れる。
【００１６】
請求項２の発明によれば、付勢部材として、スライド枠の内側壁にアーム形状のバネ片を設けたので、簡単な構成の付加により、請求項１の効果を得ることができる。
【００１７】
請求項３の発明によれば、縦溝とバネ片を係合凹部の両側に設けたので、どちらに第１部材を横移動させても、ロックを解除することができ、方向性を選ばない。
【００１８】
請求項４の発明によれば、バネ片の先端側を奥に向かって斜めに延ばしたので、ブラケットをスライド枠に差し込む際に差し込みやすい。
【発明を実施するための最良の形態】
【００１９】
以下、本発明の実施形態を図面を参照しながら説明する。
【００２０】
図１は実施形態のロック機構のロックする前の状態を示す斜視図、図２は同ロック機構のスライド枠の内部構造を示す正面から見た断面図、図３は同スライド枠の水平断面図、図４は同ロック機構のブラケットの図１の反対側から見た斜視図、図５は同ロック機構のロック状態を示す斜視図、図６は同ロック状態のときの正面から見た断面図、図７はロックを解除するときの操作途中の状態を示す正面から見た断面図、図８は図７の状態のときの水平断面図である。
【００２１】
本実施形態のロック機構は、図１に示すように、固定しようとする第１部材１（例えば電気接続箱）と、この第１部材１の固定対象である第２部材（例えば図示しない車体パネル）との間に設けられて、第１部材１を第２部材に対して相対的に縦方向（図において下方向）にスライドさせることにより、ロック状態を達成することができて、第１部材１を第２部材に固定するスライド式のロック機構であり、第２部材に上向き（縦向き）に突設された帯板状のブラケット５０と、第１部材１の壁面に設けられたスライド枠１０と、ロック片２０と、を具備している。ブラケット５０は、金属製または樹脂製のもので、基板５１の幅方向中央部に貫通した係合孔（係合凹部）５２を有する。また、スライド枠１０及びロック片２０は、第１部材１の側壁と一体に製作された樹脂製のものである。
【００２２】
スライド枠１０は、第１部材１の壁面と平行に配された前壁１１と奥壁１２と側壁１５とで構成され、これら前壁１１と奥壁１２と側壁１５とで、ブラケット５０を第１部材１の壁面に沿って相対的に縦方向（上下方向）にスライドさせるためのスライド空間１３が形成されている。また、前壁１１と奥壁１２の幅方向の中央上半部には矩形の切欠１４が設けられ、その切欠１４にロック片２０が配置されている。なお、切欠１４の両側の上端部には、奥壁１２と前壁１１を繋ぐ補強用のリブ１６が設けられている。
【００２３】
ロック片２０は、第１部材１の壁面に、ブラケット５０の厚み方向に可撓性を有するように設けられ、前面に係合凸部２０ａを有している。この係合凸部２０ａは、ブラケット５０がスライド枠１０に沿って上方向に相対的にスライドしてきたときに、ブラケット５０の係合孔５２に係合して、ブラケット５０に対する第１部材１の縦方向の動きをロックする部分である。
【００２４】
また、図４に示すように、ブラケット５０の基板５１の第１部材１の壁面に対向する板面には、中央部に柱部５４を残して２本の平行な縦溝５３が設けられている。これらの２本の縦溝５３は、ブラケット５０を、係合孔５２と係合凸部２０ａとが正対する位置にて係合したロック位置から横方向（左右方向）に移動させた際に、係合凸部２０ａを受容すると共に、その状態で係合凸部２０ａの縦方向の相対的な移動を許容して、ブラケット５０の先端からの係合凸部２０ａの抜き取りを可能にする部分である。
【００２５】
縦溝５３は、係合孔５２の横方向の両側に形成されており、図２に示すロック片２０（係合凸部２０ａ）の幅Ｂ１より、図４に示す縦溝５３の幅Ｂ２の方が、係合凸部２０ａを受け入れる必要から、若干大きく設定されている（即ち、Ｂ２＞Ｂ１）。また、係合孔５２の幅は、ロック片２０（係合凸部２０ａ）の幅に対して余裕を持った寸法に設定されている。これは、寸法誤差等などによる多少の位置ずれがあっても、係合孔５２に係合凸部２０ａを確実に嵌合させるためである。
【００２６】
また、スライド枠１０の左右の側壁１５の各内面（内側壁に相当）には、図２、図６に示すように、先端１８ｃがブラケット５０の側縁に押圧接触するアーム形状のバネ片（付勢手段）１８がそれぞれ設けられている。これらのバネ片１８は、ブラケット５０の係合孔５２とロック片２０の係合凸部２０ａとが正対する位置に向けて、ブラケット５０と第１部材１とを付勢するものであり、スライド枠１０に対するブラケット５０の差し込み方向の手前側（下側）の位置で、基端１８ａがスライド枠１０の側壁１５の内面に固定され、長さ方向の中間部１８ｂから先端１８ｃ側の部分が、ブラケット５０の差し込み方向の奥側（上側）に向けて斜めに延出するものである。
【００２７】
次に作用を説明する。
【００２８】
まず、上記の構成のロック機構をロックさせる場合は、ブラケット５０の先端（上端）がスライド枠１０の下端入口から入るように差し込み、スライド枠１０をブラケット５０に対し下向きにスライドさせる。そうすると、ブラケット５０に干渉することで、ロック片２０がブラケット５０の厚み方向に撓み、更にスライドさせることで、撓みから復帰しながらロック片２０の係合凸部２０ａがブラケット５０の係合孔５２に係合することにより、図６に示すように、第１部材１がブラケット５０に固定される。
【００２９】
この際、ブラケット５０側の係合孔５２とロック片２０の係合凸部２０ａは、両方のバネ片１８の付勢力で正対する位置に保持されるので、正対した状態で互いに強く係合し、横にずれたりすることがない。従って、通常の高い保持力を確保することができる。
【００３０】
また、両側のバネ片１８の付勢力によってブラケット５０に対しスライド枠１０を正しい位置に保持することができるので、ブラケット５０とスライド枠１０及びロック片２０とのガタ付きを無くすことができる。つまり、バネ片１８がガタつき防止アームの役割を果たす。
【００３１】
また、バネ片１８の作用で、ブラケット５０とロック片２０を適正位置に保持できるので、ブラケット５０の幅に対しスライド空間１３の幅に余裕を持たせることができ、それにより、ブラケット５０とスライド枠１０の寸法のバラツキを吸収することができて、スムーズにブラケット５０とスライド枠１０を嵌合させることができる。
【００３２】
一方、図６に示すロック状態からロックを解除する場合は、ブラケット５０に対してスライド枠１０を、バネ片１８を変形させながら、横方向（図中矢印Ｙ方向）に移動させる。移動の方向はどちらでもよい。そうすると、ロック片２０の係合凸部２０ａが、係合孔５２の位置から外れて、図４に示すブラケット５０の縦溝５３の中に入ることになる。従って、あとは、係合凸部２０ａを、縦溝５３に沿って移動しながらブラケット５０から抜くことにより、ロックを外すことができる。
【００３３】
このように、ロック片２０を治具等を用いて解除操作することなく、第１部材１を横方向と縦方向に順番に移動するだけて、ロックを解除することができるので、必要時に第１部材１をブラケットから容易に取り外すことができて、解体性の向上が図れる。
【００３４】
また、本実施形態では、付勢部材として、スライド枠１０の側壁１５の内面にアーム形状のバネ片１８を設けているので、簡単な構成の付加により、以上の効果を得ることができる。また、それらバネ片１８の先端１８ｃ側を奥に向かって斜めに延ばしているので、ブラケット５０をスライド枠１０に差し込む際に差し込みやすくなる。
【００３５】
また、通常のロックの仕方は、上述したように、バネ片１８の付勢力でブラケット５０とスライド枠１０を正対する位置に保持しながら、スライド枠１０をブラケット５０に嵌めることで、ロック片２０の撓みを利用して、係合凸部２０ａと係合孔５２を係合させるという方法をとるのであるが、別の方法でロックを達成することもできる。
【００３６】
即ち、バネ片１８を変形させながら、ブラケット５０とスライド枠１０を最初から、ブラケット５０の縦溝５３にロック片２０の係合凸部２０ａが入るように位置決めし、その状態で、スライド枠１０をブラケット５０に嵌めてスライドさせる。そして、係合孔５２と係合凸部２０ａの高さが一致するところまでスライドさせたら、バネ片１８の変形を解除する。そうすると、バネ片１８の付勢力で、ブラケット５０がスライド枠１０に対して相対的に横移動し、係合凸部２０ａと係合孔５２が正対し互いに係合する。これにより、ブラケット５０と第１部材１を縦方向に移動しないようにロックすることができる。この場合は、ロック片２０に撓み荷重をかけないで、ロック片２０とブラケット５０を係合させることができる。
【００３７】
従って、この方法だけでロックを行うことに限定すれば、ロック片２０にブラケット５０の厚み方向の可撓性を与えないでもよくなる。しかし、通常の電気接続箱のロックの仕方は、電気接続箱の背面部分を上からブラケット５０に被せる動作で行うので、ロック片２０の可撓性は必要な要件であると言える。
【００３８】
なお、上記実施形態では、ブラケット５０の基板５１に貫通した係合孔５２を形成しているが、貫通しない係合凹部を基板５１の第１部材１側の内面に形成してもよい。
【００３９】
また、上記実施形態では、縦溝５３を係合孔５２の両側に設けているが、片側だけに設けてもよい。
【００４０】
また、上記実施形態では、ブラケット５０とスライド枠１０を適正位置に付勢する付勢手段としてのバネ片１８を、スライド枠１０側に設けているが、バネ片に相当する付勢手段を、ブラケット５０の側縁部に設けることも可能である。
【図面の簡単な説明】
【００４１】
【図１】本発明の実施形態のロック機構のロックする前の状態を示す斜視図である。
【図２】同ロック機構のスライド枠の内部構造を示す正面から見た断面図である。
【図３】同スライド枠の水平断面図である。
【図４】同ロック機構のブラケットの図１の反対側から見た斜視図である。
【図５】同ロック機構のロック状態を示す斜視図である。
【図６】同ロック状態のときの正面から見た断面図である。
【図７】ロックを解除するときの操作途中の状態を示す正面から見た断面図である。
【図８】図７の状態のときの水平断面図である。
【図９】従来のロック機構の例を示す斜視図である。
【符号の説明】
【００４２】
１  第１部材
１０  スライド枠
１３  スライド空間
１５  側壁
１８  バネ片（付勢手段）
１８ａ  基端
１８ｃ  先端
２０  ロック片
２０ａ  係合凸部
５０  ブラケット
５２  係合孔（係合凹部）
５３  縦溝
【図１】
0004926084.tif 000002
【図２】
0004926084.tif 000003
【図３】
0004926084.tif 000004
【図４】
0004926084.tif 000005
【図５】
0004926084.tif 000006
【図６】
0004926084.tif 000007
【図７】
0004926084.tif 000008
【図８】
0004926084.tif 000009
【図９】
0004926084.tif 000010